(57)【要約】【課題】任意の基準でヘリカルシャトルスキャンの再現性を監視することが可能なＸ線ＣＴ装置を提供する。【解決手段】実施形態のＸ線ＣＴ装置は、天板に載置された被検体の周囲をスキャンしてＸ線撮影を行うＸ線発生部及びＸ線検出部を有するＸ線スキャン部を含み、天板の長手方向に沿う第１方向及びその逆方向である第２方向に天板とＸ線スキャン部とを被検体に対して相対的に往復移動させながらＸ線スキャン部にＸ線撮影を行わせる。Ｘ線ＣＴ装置は、比較部を有する。比較部は、第１方向での複数回のＸ線撮影又は第２方向での複数回のＸ線撮影において、所定のビュー数を取得したときの天板位置を比較する。【選択図】図２
2014113474.tif 000002
【特許請求の範囲】
【請求項１】
天板に載置された被検体の周囲をスキャンしてＸ線撮影を行うＸ線発生部及びＸ線検出部を有するＸ線スキャン部を含み、前記天板の長手方向に沿う第１方向及びその逆方向である第２方向に前記天板と前記Ｘ線スキャン部とを前記被検体に対して相対的に往復移動させながら前記Ｘ線スキャン部にＸ線撮影を行わせるＸ線ＣＴ装置であって、
前記第１方向での複数回のＸ線撮影又は前記第２方向での複数回のＸ線撮影において、所定のビュー数を取得したときの天板位置を比較する比較部を有する、
ことを特徴とするＸ線ＣＴ装置。
【請求項２】
天板と、前記天板に載置された被検体の周囲をスキャンしてＸ線撮影を行うＸ線発生部及びＸ線検出部を有するＸ線スキャン部とを有し、前記天板の長手方向に沿う第１方向及びその逆方向である第２方向に前記天板と前記Ｘ線スキャン部とを前記被検体の関心領域に対応する範囲を含む撮影範囲内で相対的に往復移動させつつ、移動した位置で前記Ｘ線スキャン部にＸ線撮影を行わせるＸ線ＣＴ装置であって、
前記第１方向でのＸ線撮影において、前記往復移動の回数毎に前記関心領域に対応する範囲内において所定のビュー数を取得したときの前記位置を検出する検出部と、
１回目の前記第１方向でのＸ線撮影において検出された前記位置と、ｋ回目（ｋ＞１）の前記第１方向でのＸ線撮影において、前記１回目の前記第１方向でのＸ線撮影における前記所定のビュー数及び（ｋ−１）回の前記往復移動に対応するビュー数の和によるビュー数をｋ回目の前記所定のビュー数として取得したときに前記検出部が検出した前記位置とを比較する比較部と、
比較結果に基づいて、前記Ｘ線スキャン部によるＸ線の曝射を制御するスキャン制御部と、
を有することを特徴とするＸ線ＣＴ装置。
【請求項３】
前記検出部は、前記（ｋ−１）回の前記往復移動に対応するビュー数として、予め設定された、前記往復移動を１回行う間に取得するビュー数を用いることにより、ｋ回目の前記所定のビュー数を取得することを特徴とする請求項２記載のＸ線ＣＴ装置。
【請求項４】
前記検出部は、前記（ｋ−１）回の前記往復移動に対応するビュー数として、１回目の前記往復移動により取得されたビュー数を用いることにより、ｋ回目の前記所定のビュー数を取得することを特徴とする請求項２記載のＸ線ＣＴ装置。
【請求項５】
天板に載置された被検体の周囲をスキャンしてＸ線撮影を行うＸ線発生部及びＸ線検出部を有するＸ線スキャン部を含み、前記天板の長手方向に沿う第１方向及びその逆方向である第２方向に前記天板と前記Ｘ線スキャン部とを前記被検体に対して相対的に往復移動させながら前記Ｘ線スキャン部にＸ線撮影を行わせるＸ線ＣＴ装置であって、
前記第１方向での複数回のＸ線撮影又は前記第２方向での複数回のＸ線撮影において、所定位置でそれぞれ取得されるビュー数を比較する比較部を有する、
ことを特徴とするＸ線ＣＴ装置。
【請求項６】
天板と、前記天板に載置された被検体の周囲をスキャンしてＸ線撮影を行うＸ線発生部及びＸ線検出部を有するＸ線スキャン部とを有し、前記天板の長手方向に沿う第１方向及びその逆方向である第２方向に前記天板と前記Ｘ線スキャン部とを前記被検体の関心領域に対応する範囲を含む撮影範囲内で相対的に往復移動させつつ、移動した位置で前記Ｘ線スキャン部にＸ線撮影を行わせるＸ線ＣＴ装置であって、
前記第１方向でのＸ線撮影において、前記関心領域に対応する範囲内における所定位置で前記往復移動の回数毎に得られるビュー数を検出する検出部と、
１回目の前記第１方向でのＸ線撮影において検出された前記ビュー数と、ｋ回目（ｋ＞１）の前記第１方向でのＸ線撮影において検出された前記ビュー数とを比較する比較部と、
比較結果に基づいて、前記Ｘ線スキャン部によるＸ線の曝射を制御するスキャン制御部と、
を有することを特徴とするＸ線ＣＴ装置。
【請求項７】
前記比較部は、予め設定された、前記往復移動を１回行う間に取得するビュー数に基づいて、１回目の前記第１方向でのＸ線撮影において検出された前記ビュー数と、ｋ回目の前記第１方向でのＸ線撮影において検出された前記ビュー数との比較を行うことを特徴とする請求項６記載のＸ線ＣＴ装置。
【請求項８】
前記比較部は、１回目の前記往復移動により取得されたビュー数に基づいて、１回目の前記第１方向でのＸ線撮影において検出された前記ビュー数と、ｋ回目の前記第１方向でのＸ線撮影において検出された前記ビュー数との比較を行うことを特徴とする請求項６記載のＸ線ＣＴ装置。
【請求項９】
前記比較部の比較結果に基づいて、前記Ｘ線スキャン部によるＸ線の曝射を制御するスキャン制御部を有する、
ことを特徴とする請求項１又は請求項５に記載のＸ線ＣＴ装置。
【請求項１０】
前記スキャン制御部は、前記比較結果が許容範囲外である場合、前記Ｘ線スキャン部によるＸ線の曝射を停止させる制御をおこなうことを特徴とする請求項２〜請求項４、請求項６〜請求項９のいずれか一項に記載のＸ線ＣＴ装置。
【請求項１１】
表示部と、
前記比較結果に基づいて、前記表示部にエラー表示を行う表示制御部と、
を有することを特徴とする請求項２〜請求項４、請求項６〜請求項１０のいずれか一項に記載のＸ線ＣＴ装置。
【請求項１２】
天板に載置された被検体の周囲をスキャンしてＸ線撮影を行うＸ線発生部及びＸ線検出部を有するＸ線スキャン部を含み、前記天板の長手方向に沿う第１方向及びその逆方向である第２方向に前記天板と前記Ｘ線スキャン部とを前記被検体に対して相対的に往復移動させながら前記Ｘ線スキャン部にＸ線撮影を行わせるＸ線ＣＴ装置に対し、
コンピュータが、
前記第１方向での複数回のＸ線撮影又は前記第２方向での複数回のＸ線撮影において、所定のビュー数を取得したときの天板位置を比較する比較機能を、
実行させることを特徴とするＸ線ＣＴ装置の制御プログラム。
【請求項１３】
天板に載置された被検体の周囲をスキャンしてＸ線撮影を行うＸ線発生部及びＸ線検出部を有するＸ線スキャン部を含み、前記天板の長手方向に沿う第１方向及びその逆方向である第２方向に前記天板と前記Ｘ線スキャン部とを前記被検体に対して相対的に往復移動させながら前記Ｘ線スキャン部にＸ線撮影を行わせるＸ線ＣＴ装置に対し、
コンピュータが、
前記第１方向での複数回のＸ線撮影又は前記第２方向での複数回のＸ線撮影において、所定位置でそれぞれ取得されるビュー数を比較する比較機能を、
実行させることを特徴とするＸ線ＣＴ装置の制御プログラム。
【発明の詳細な説明】
【技術分野】
【０００１】
本発明の実施形態は、Ｘ線ＣＴ装置及びＸ線ＣＴ装置の制御プログラムに関する。
【背景技術】
【０００２】
Ｘ線ＣＴ（Ｃｏｍｐｕｔｅｄ  Ｔｏｍｏｇｒａｐｈｙ）装置は、Ｘ線を利用して被検体をスキャンし、収集されたデータをコンピュータにより処理することで、被検体の内部を画像化する装置である。
【０００３】
具体的に、Ｘ線ＣＴ装置は、Ｘ線発生部により被検体に対してＸ線を異なる方向から複数回曝射し、被検体を透過したＸ線を複数のＸ線検出器にて検出する。データ収集部は、検出された検出データを収集する。データ収集部は、収集された検出データをＡ／Ｄ変換した後、コンソール装置に送信する。コンソール装置は、当該検出データに前処理等を施し投影データを作成する。そして、コンソール装置は、投影データに基づく再構成処理を行い、断層画像データ、或いは複数の断層画像データに基づくボリュームデータを作成する。
【０００４】
Ｘ線ＣＴ装置を用いるスキャン方法としてヘリカルシャトルスキャンがある。ヘリカルシャトルスキャンは、被検体が載置された天板を第１方向及び第１方向とは逆方向（第２方向）に往復移動させつつ、被検体の関心領域（Ｒｅｇｉｏｎ  ｏｆ  Ｉｎｔｅｒｅｓｔ。ＲＯＩ）に対応する範囲を含む撮影範囲に対してヘリカルスキャン（被検体に対して螺旋状にＸ線を曝射するスキャン）を行う方法である。ヘリカルシャトルスキャンにより得られる第１方向及び第２方向の検出データに基づく断層画像データは、たとえば、ＣＴパフュージョンに用いられる。ＣＴパフュージョンとは、同じ位置を複数回、Ｘ線撮影して得られたＣＴ画像を重ね合わせる方法である。ＣＴパフュージョンにより得られる画像は、たとえば、造影された脳血管の血流量の変化を濃淡で表し、虚血等の症状を解析するために用いられる。
【０００５】
このように、複数のＣＴ画像を重ね合わせるため、ヘリカルシャトルスキャンでは、被検体に対して螺旋状に曝射されるＸ線の軌道が、第１方向のスキャン（以下、「往路スキャン」という場合がある）と、第２方向のスキャン（以下、「復路スキャン」という場合がある）とで同期するように制御される。従って、往路スキャン及び復路スキャンのいずれにおいても、Ｘ線発生部は、円軌道上のある位置を基点（開始位置）としてＸ線の曝射を開始する。このように、異なるタイミングのスキャンにおいて常に同じ位置から曝射（及び天板の移動）を開始するスキャンを軌道同期スキャンという。
【先行技術文献】
【特許文献】
【０００６】
【特許文献１】特開２０１１−６２４４５号公報
【発明の概要】
【発明が解決しようとする課題】
【０００７】
ところで、複数のＣＴ画像を重ね合わせてＣＴパフュージョンを行う場合には、複数回の往路スキャン（復路スキャン）が同じ条件（天板の位置、取得される検出データ数（ビュー数）等）で繰り返し行われる必要がある。つまり、スキャンの再現性が重要となる。
【０００８】
スキャンの再現性が悪い場合、たとえば、１回目の往路スキャンで得られるビュー数と２回目の往路スキャンで得られるビュー数とが異なる可能性がある。よって、各スキャンで得られた検出データに基づいて生成されるＣＴ画像を重ね合わせた際にＣＴ画像間の位置ずれが生じ、虚血等の症状を正確に解析することが困難となる場合がある。また、位置ずれが被検体の関心領域（ＲＯＩ）に対応する範囲において生じている場合には、その影響がより大きくなる。更に、このようなＣＴ画像はＣＴパフュージョンに適さないため、再度のヘリカルシャトルスキャンが必要となる。よって、Ｘ線の被曝量が増大することにも繋がる。
【０００９】
実施形態は、前述の問題点を解決するためになされたものであり、任意の基準でヘリカルシャトルスキャンの再現性を監視することが可能なＸ線ＣＴ装置を提供することを目的とする。
【課題を解決するための手段】
【００１０】
実施形態のＸ線ＣＴ装置は、天板に載置された被検体の周囲をスキャンしてＸ線撮影を行うＸ線発生部及びＸ線検出部を有するＸ線スキャン部を含み、天板の長手方向に沿う第１方向及びその逆方向である第２方向に天板とＸ線スキャン部とを被検体に対して相対的に往復移動させながらＸ線スキャン部にＸ線撮影を行わせる。Ｘ線ＣＴ装置は、比較部を有する。比較部は、第１方向での複数回のＸ線撮影又は第２方向での複数回のＸ線撮影において、所定のビュー数を取得したときの天板位置を比較する。
【図面の簡単な説明】
【００１１】
【図１】第１実施形態に係るＸ線ＣＴ装置の全体図である。
【図２】第１実施形態に係るＸ線ＣＴ装置のブロック図である。
【図３】ヘリカルシャトルスキャンの例を説明するための図である。
【図４】第１実施形態に係る監視部のブロック図である。
【図５】第１実施形態に係る監視部の説明を補足する図である。
【図６】第１実施形態に係るＸ線ＣＴ装置の動作の概要を示すフローチャートである。
【図７】第２実施形態に係る監視部の説明を補足する図である。
【図８】第２実施形態に係るＸ線ＣＴ装置の動作の概要を示すフローチャートである。
【図９】第３実施形態に係る監視部の説明を補足する図である。
【図１０】第３実施形態に係るＸ線ＣＴ装置の動作の概要を示すフローチャートである。
【図１１】第４実施形態に係る監視部の説明を補足する図である。
【図１２】第４実施形態に係るＸ線ＣＴ装置の動作の概要を示すフローチャートである。
【発明を実施するための形態】
【００１２】
（第１実施形態）
図１から図６を参照して、第１実施形態に係るＸ線ＣＴ装置１の構成について説明する。
【００１３】
＜装置構成＞
図１は、Ｘ線ＣＴ装置１の全体図である。図２は、Ｘ線ＣＴ装置１の構成を示すブロック図である。Ｘ線ＣＴ装置１は、架台装置１０と、寝台装置３０と、コンソール装置４０とを含んで構成されている。
【００１４】
図１に示すように、架台装置１０及び寝台装置３０は、検査室Ｒ１内に配置される。コンソール装置４０は、検査室とは異なる部屋Ｒ２内に配置される（図１における破線は、検査室Ｒ１と部屋Ｒ２の境界を示している）。
【００１５】
本実施形態では、被検体Ｅが載置された天板３３（後述）を架台装置１０に対して第１方向（往路方向。矢印Ａで示す）及びその逆方向である第２方向（復路方向。矢印Ｂで示す）に往復移動させる例について述べる。第１方向及び第２方向は、天板３３の長手方向に沿う方向である。なお、復路方向を第１方向とし、往路方向を第２方向とすることも可能である。
【００１６】
［架台装置］
架台装置１０は、被検体Ｅに対してＸ線を曝射し、被検体Ｅを透過した当該Ｘ線の検出データを収集する装置である。架台装置１０は、回転部１０ａと固定部１０ｂとを有する。
【００１７】
回転部１０ａは、Ｘ線発生部１１と、Ｘ線検出部１２と、Ｘ線絞り部１３と、データ収集部１４とを有する。
【００１８】
回転部１０ａは、Ｘ線発生部１１及びＸ線検出部１２等を支持する部材である。回転部１０ａは、被検体Ｅを挟んで対向するようＸ線発生部１１及びＸ線検出部１２を支持する。回転部１０ａは、架台装置１０内において、被検体Ｅを中心とした円軌道で回転する。
【００１９】
Ｘ線発生部１１は、Ｘ線を発生させるＸ線管球（たとえば、円錐状や角錐状のビームを発生する真空管。図示なし）を含んで構成されている。発生したＸ線は被検体Ｅに対して曝射される。
【００２０】
Ｘ線検出部１２は、複数のＸ線検出素子（図示なし）を含んで構成されている。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。Ｘ線検出部１２は、たとえば、Ｘ線検出素子が互いに直交する２方向（スライス方向とチャンネル方向）にそれぞれ複数配置された２次元のＸ線検出器（面検出器）が用いられる。なお、スライス方向は被検体Ｅの体軸方向（図１の矢印Ａ及び矢印Ｂ方向）に相当し、チャンネル方向はＸ線発生部１１（Ｘ線検出部１２）の回転方向に相当する。本実施形態におけるＸ線発生部１１及びＸ線検出部１２は、「Ｘ線スキャン部」の一例である。Ｘ線スキャン部は、天板３３に載置された被検体Ｅの周囲をスキャンしてＸ線撮影を行うことが可能である。
【００２１】
Ｘ線絞り部１３は、所定幅のスリット（開口）を有し、スリットの幅を変えることで、Ｘ線発生部１１から曝射されたＸ線のファン角（チャンネル方向の広がり角）とＸ線のコーン角（スライス方向の広がり角）とを調整する。
【００２２】
データ収集部１４（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。また、データ収集部１４は、収集した検出データをデジタルデータに変換し、固定部１０ｂを介してコンソール装置４０に送信する。本実施形態において、データ収集部１４は、１つのビューに対応する検出データに、そのビューが得られたときの天板３３の位置を関連付け、順次コンソール装置４０へ送信する。すなわち、ビューと検出データとは一対一に対応している。１つのビューは、円軌道における任意の位置から被検体Ｅに対してＸ線を曝射した場合に当該Ｘ線が検出されるＸ線検出部１２の領域に対応する範囲である。
【００２３】
固定部１０ｂは、被検体Ｅに対し、回転部１０ａを回転可能に保持する。固定部１０ｂは、高電圧発生部１５と、架台駆動部１６と、絞り駆動部１７と、架台・寝台制御部１８とを有する。
【００２４】
高電圧発生部１５は、Ｘ線発生部１１に対して高電圧を印加する。Ｘ線発生部１１は、当該高電圧に基づいてＸ線を発生させる。架台駆動部１６は、回転部１０ａを回転駆動させる。絞り駆動部１７は、Ｘ線発生部１１で発生したＸ線が所定の形状となるようＸ線絞り部１３を駆動させる。
【００２５】
架台・寝台制御部１８は、コンソール装置４０（スキャン制御部４２）による制御に基づいて、データ収集部１４、高電圧発生部１５、架台駆動部１６、絞り駆動部１７及び寝台駆動部３２（後述）の制御等、架台装置１０及び寝台装置３０の動作制御を行う。
【００２６】
［寝台装置］
寝台装置３０は、撮影対象の被検体Ｅを載置・移動させる装置である。寝台装置３０は、寝台３１と寝台駆動部３２とを備えている。寝台３１は、被検体Ｅを載置するための天板３３と、天板３３を支持する基台３４とを備えている。天板３３は、寝台駆動部３２によって被検体Ｅの体軸方向及び体軸方向に直交する方向に移動することが可能となっている。すなわち、寝台駆動部３２は、被検体Ｅが載置された天板３３を、回転部１０ａに対して挿抜させることができる。基台３４は、寝台駆動部３２によって天板３３を上下方向（被検体Ｅの体軸方向と直交する方向）に移動させることが可能となっている。
【００２７】
［コンソール装置］
コンソール装置４０は、Ｘ線ＣＴ装置１に対する操作入力に用いられる。また、コンソール装置４０は、架台装置１０によって収集された検出データから被検体Ｅの内部形態を表すＣＴ画像データ（断層画像データやボリュームデータ）を再構成する機能等を有している。コンソール装置４０は、監視部４１と、スキャン制御部４２と、画像処理部４３と、表示制御部４４と、記憶部４５と、表示部４６と、入力部４７と、制御部４８とを含んで構成されている。
【００２８】
監視部４１は、データ収集部１４から送信される検出データに対応するビュー数に基づいて、ヘリカルシャトルスキャンの再現性を監視する。監視部４１の詳細な構成については後述する。
【００２９】
スキャン制御部４２は、架台・寝台制御部１８を介して、Ｘ線スキャンに関する各種動作を制御する。たとえば、スキャン制御部４２は、架台・寝台制御部１８を介して、Ｘ線発生部１１に対して高電圧を印加させるよう高電圧発生部１５を制御する。スキャン制御部４２は、架台・寝台制御部１８を介して、回転部１０ａを回転駆動させるよう架台駆動部１６を制御する。スキャン制御部４２は、架台・寝台制御部１８を介して、Ｘ線絞り部１３を動作させるよう絞り駆動部１７を制御する。スキャン制御部４２は、架台・寝台制御部１８を介して、寝台３１を移動させるよう寝台駆動部３２を制御する。
【００３０】
更に、本実施形態におけるスキャン制御部４２は、監視部４１からの信号に基づいてＸ線スキャン部によるＸ線の曝射を制御する（詳細は後述）。
【００３１】
画像処理部４３は、架台装置１０（データ収集部１４）から送信された検出データに対して前処理、再構成処理、レンダリング処理等の各種処理を実行する。たとえば、画像処理部４３は、架台装置１０（Ｘ線検出部１２）で検出された検出データに対して対数変換処理、オフセット補正、感度補正、ビームハードニング補正等の前処理を行い、投影データを作成する。また、画像処理部４３は、投影データに基づいて、ＣＴ画像データ（断層画像データやボリュームデータ）を作成する。また、画像処理部４３は、ボリュームデータに対するレンダリング処理を行い、ＭＰＲ（Ｍｕｌｔｉ  Ｐｌａｎａｒ  Ｒｅｃｏｎｓｔｒｕｃｔｉｏｎ）画像を作成する。
【００３２】
表示制御部４４は、画像表示に関する各種制御を行う。たとえば、表示制御部４４は、画像処理部４３により作成されたＭＰＲ画像等を表示部４６に表示させる制御を行う。
【００３３】
更に、本実施形態における表示制御部４４は、監視部４１からの信号に基づいて表示部４６にエラー表示等を行う（詳細は後述）。
【００３４】
記憶部４５は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等の半導体記憶装置によって構成される。記憶部４５は、検出データや投影データ、或いは再構成処理後のＣＴ画像データ等を記憶する。
【００３５】
表示部４６は、ＬＣＤ（Ｌｉｑｕｉｄ Ｃｒｙｓｔａｌ Ｄｉｓｐｌａｙ）やＣＲＴ（Ｃａｔｈｏｄｅ Ｒａｙ Ｔｕｂｅ）ディスプレイ等の任意の表示デバイスによって構成される。
【００３６】
入力部４７は、コンソール装置４０に対する各種操作を行う入力デバイスとして用いられる。入力部４７は、たとえばキーボード、マウス、トラックボール、ジョイスティック等により構成される。また、入力部４７として、表示部４６に表示されたＧＵＩ（Ｇｒａｐｈｉｃａｌ  Ｕｓｅｒ  Ｉｎｔｅｒｆａｃｅ）を用いることも可能である。
【００３７】
制御部４８は、架台装置１０、寝台装置３０およびコンソール装置４０の動作を制御することによって、Ｘ線ＣＴ装置１の全体制御を行う。たとえば、制御部４８は、スキャン制御部４２を制御することで、架台装置１０に対して予備スキャン及びメインスキャンを実行させ、検出データを収集させる。また、制御部４８は、画像処理部４３を制御することで、検出データに対する各種処理（前処理、再構成処理、ＭＰＲ処理等）を行わせる。或いは、制御部４８は、表示制御部４４を制御することで、記憶部４５に記憶された画像データ等に基づき、ＣＴ画像を表示部４６に表示させる。
【００３８】
本実施形態において、制御部４８は、ヘリカルシャトルスキャンを実行させる。すなわち、制御部４８は、天板３３の長手方向に沿う第１方向及びその逆方向である第２方向に天板３３を被検体Ｅの関心領域に対応する範囲を含む撮影範囲内で相対的に往復移動させつつ、移動した位置でＸ線スキャン部にＸ線撮影を行わせる。
【００３９】
［ヘリカルシャトルスキャン］
次に図３を参照して、ヘリカルシャトルスキャンについて説明する。ヘリカルシャトルスキャンは、被検体Ｅが載置された天板３３を第１方向及び第２方向に往復移動させつつ、ヘリカルスキャンを行う方法である。ヘリカルスキャンとは、被検体Ｅを中心として螺旋状にＸ線を曝射するスキャン方法である（図３参照。図３では、被検体Ｅと螺旋の模式図とを別々に示している）。図３に示す矢印Ａ及び矢印Ｂは、図１に示す矢印に対応している。矢印Ａは、往路スキャンの際に天板３３が移動する方向を示し、矢印Ｂは、復路スキャンの際に天板３３が移動する方向を示す。なお、ヘリカルシャトルスキャンを行う場合には、異なるタイミングのスキャンにおいて常に同じ位置から曝射（及び天板の移動）を開始する軌道同期スキャンが実行される。
【００４０】
寝台駆動部３２は、制御部４８（スキャン制御部４２）の制御に基づいて駆動する。寝台駆動部３２は、被検体Ｅに対する撮影範囲Ｅｐ内に設定された定速領域Ｅｃにおいて天板３３を一定の速度で移動させる。一方、寝台駆動部３２は、寝台加減速領域Ｅｔ１（Ｅｔ２）において天板３３の移動速度を加速又は減速させる。
【００４１】
たとえば、第１方向のスキャンを行う場合、寝台駆動部３２は、寝台加減速領域Ｅｔ１において所定の移動速度となるよう天板３３を加速させる。そして、寝台駆動部３２は、定速領域Ｅｃにおいて天板３３を当該所定の移動速度で移動させる。その後、寝台駆動部３２は、寝台加減速領域Ｅｔ２において天板３３の移動速度を減速させて停止させ、天板３３の移動方向を矢印Ｂの方向に反転させる。そして、第２方向のスキャンが開始されると、寝台駆動部３２は、寝台加減速領域Ｅｔ２において天板３３を加速させる。このような往復移動に伴うヘリカルスキャンにより、撮影範囲Ｅｐ内における第１方向及び第２方向の検出データを複数得ることが可能となる。なお、たとえば、定速領域Ｅｃが被検体Ｅの関心領域に対応する範囲Ｉに該当する。
【００４２】
［監視部４１の構成］
次に、図４及び図５を参照して、本実施形態における監視部４１の詳細な構成について述べる。図４は、監視部４１の構成を示すブロック図である。図５は、ヘリカルシャトルスキャンの流れを示す図である。図５の横軸は天板３３の位置を示す。なお、ヘリカルシャトルスキャンに伴う天板３３の往復移動の回数は、Ｎ回（Ｎ＞１）であるとする。
【００４３】
監視部４１は、検出部４１ａと、比較部４１ｂとを有する。
【００４４】
検出部４１ａは、第１方向でのＸ線撮影において、関心領域に対応する範囲Ｉ内において所定のビュー数を取得したときの天板３３の位置を検出する。本実施形態における検出部４１ａは、Ｎ回の往復移動、すなわちＮ回の第１方向でのＸ線撮影において、所定のビュー数Ｖｋ（ｋ＝１〜Ｎ）を取得したときの天板３３の位置を検出する。先に述べた通り、各ビューには、そのビューが取得されたときの天板３３の位置が関連付けられている。以下、所定のビュー数Ｖｋに関連付けられた天板３３の位置を位置Ｐｋ（ｋ＝１〜Ｎ）で示す。位置Ｐｋは、図３における体軸方向の位置である。検出された天板３３の位置に関する情報は、比較部４１ｂに送信される。
【００４５】
所定のビュー数Ｖｋは、ヘリカルシャトルスキャンの再現性を監視するために用いる値である。本実施形態における所定のビュー数Ｖｋは、所定のビュー数Ｖ１と、往復移動の回数に応じたビュー数の和で決定される。
【００４６】
所定のビュー数Ｖ１には、１回目の第１方向でのＸ線撮影において得られるビュー数のうち、任意のビュー数が予め設定される（たとえば、２０ビュー）。所定のビュー数Ｖ１には、位置Ｐ１が関連付けられている。
【００４７】
ここで、往復移動を１回行う間に取得するビュー数Ｖ０は、スキャン条件等により予め決定されてもよい。たとえば、Ｘ線ＣＴ装置１は、入力部４７等からの指示入力に基づいて、１回の往復移動で１００ビューを取得するようにスキャン条件を設定する。
【００４８】
本実施形態において、２回目の第１方向でのＸ線撮影において取得される所定のビュー数Ｖ２は、所定のビュー数Ｖ１（２０ビュー）に１回の往復移動を行う間に取得するビュー数Ｖ０を足した数（１２０ビュー）である。同様に、３回目の第１方向でのＸ線撮影において取得される所定のビュー数Ｖ３は、所定のビュー数Ｖ１（２０ビュー）に２回の往復移動を行う間に取得するビュー数Ｖ０を足した数（２２０ビュー）である。つまり、所定のビュー数Ｖｋは、Ｖ１＋（ｋ−１）Ｖ０で表すことができる。
【００４９】
言い換えると、本実施形態における検出部４１ａは、（ｋ−１）回の往復移動に対応するビュー数として、予め設定された、往復移動を１回行う間に取得するビュー数Ｖ０を用いることにより、ｋ回目の所定のビュー数Ｖｋを取得する。
【００５０】
検出部４１ａは、１回目の第１方向でのＸ線撮影により得られるビューの数をカウントし、所定のビュー数Ｖ１（２０ビュー）を取得したときにそのビューに関連付けられた天板３３の位置Ｐ１を検出する（図５参照）。
【００５１】
その後、検出部４１ａは、データ収集部１４から送信される検出データに基づいてビュー数をカウントし、２回目の第１方向でのＸ線撮影において所定のビュー数Ｖ２（＝Ｖ１＋Ｖ０）を取得したときに、そのビューに関連付けられた天板３３の位置Ｐ２を検出する（図５参照）。
【００５２】
同様に、検出部４１ａは、データ収集部１４から送信される検出データに基づいてビュー数をカウントし、Ｎ回目の第１方向でのＸ線撮影において所定のビュー数ＶＮ（＝Ｖ１＋（Ｎ−１）Ｖ０）を取得した時に、そのビューに関連付けられた天板３３の位置ＰＮを検出する（図５参照）。
【００５３】
比較部４１ｂは、１回目の第１方向でのＸ線撮影において検出された天板３３の位置Ｐ１と、ｋ回目（ｋ＞１）の第１方向でのＸ線撮影において、１回目の第１方向でのＸ線撮影における所定のビュー数Ｖ１及び（ｋ−１）回の往復移動に対応するビュー数（ｋ−１）Ｖ０の和によるビュー数をＮ回目の所定のビュー数Ｖｋとして取得したときに検出部４１ａが検出した天板３３の位置Ｐｋとを比較する。
【００５４】
具体的に、比較部４１ｂは、１回目の第１方向でのＸ線撮影において検出された位置Ｐ１と、２回目の第１方向でのＸ線撮影において検出された位置Ｐ２とを比較する。
【００５５】
位置Ｐ１と位置Ｐ２とが同じ場合（位置Ｐ２−位置Ｐ１＝位置の差ΔＰ＝０の場合。図５参照）、所定のビュー数Ｖ１に対応するビュー（検出データ）と所定のビュー数Ｖ２に対応するビュー（検出データ）とは、ヘリカルシャトルスキャンの撮影範囲Ｅｐにおいて天板３３が同じ位置にあるときに取得されたものであるといえる。よって、これらのビューに対応する検出データに基づくＣＴ画像データを重ね合わせることにより、ＣＴパフュージョンを実行することができる。
【００５６】
逆に、位置Ｐ１と位置Ｐ２とが異なる場合（位置の差ΔＰ≠０の場合）、位置Ｐ１から位置Ｐ２に至るまでのヘリカルスキャンにおいて、何らかの誤差が生じていることになる。このような比較結果が得られた場合は、ヘリカルシャトルスキャンを継続してもＣＴ画像の重ね合わせ（ＣＴパフュージョン）に適したＣＴ画像データを得ることが困難である。
【００５７】
比較部４１ｂは、比較結果をスキャン制御部４２に送信する。なお、比較部４１ｂは、往復移動毎に位置Ｐ１と位置Ｐｋ（ｋ＞１）との比較を行う。すなわち、位置の差ΔＰは以下の式（１）で示すことができる。
【００５８】
【数１】
2014113474.tif 000003
【００５９】
なお、比較部４１ｂによる位置Ｐ１と位置Ｐｋとの比較は、位置が完全に一致する場合でなくともよい。すなわち、位置の差ΔＰは、ヘリカルシャトルスキャンの再現性を保つことができる許容範囲であれば、所定の幅（たとえば、±数ｍｍ）を持たせてもよい。
【００６０】
スキャン制御部４２は、比較部４１ｂの比較結果に基づいて、Ｘ線スキャン部によるＸ線の曝射を継続、または停止するよう制御を行う。
【００６１】
具体的には、位置Ｐ１と位置Ｐ２とが同じ場合、スキャン制御部４２は、Ｘ線スキャン部を制御し、ヘリカルシャトルスキャンを継続して行わせる。逆に、位置Ｐ１と位置Ｐ２が異なる場合、スキャン制御部４２は、Ｘ線スキャン部を制御し、ヘリカルシャトルスキャンを停止（Ｘ線発生部１１によるＸ線の曝射を停止）させる。
【００６２】
なお、スキャン制御部４２は、Ｘ線の曝射停止と併せて、回転部１０ａの回転を停止させてもよい。或いは、Ｘ線発生部１１を完全に停止させた場合、Ｘ線発生部１１の立ち上げに時間がかかる。よって、Ｘ線発生部１１を完全に停止させると、再度のヘリカルシャトルスキャンを連続して行う場合等に、検査時間がかかるという問題が生じる。よって、スキャン制御部４２は、比較部４１ｂによる比較結果（位置の差ΔＰ≠０の場合）に基づいて、Ｘ線発生部１１によるＸ線の曝射する量を減少させるよう制御することも可能である。
【００６３】
また、本実施形態における表示制御部４４は、比較部４１ｂによる比較結果に基づいて
表示部４６にエラー表示を行う。
【００６４】
具体的には、表示制御部４４は、位置Ｐ１と位置Ｐ２とが異なる場合、ヘリカルシャトルスキャンにエラーが生じている旨の警告メッセージを表示部４６に表示させる。
【００６５】
エラー表示は、警告メッセージの表示に限られない。たとえば、表示部４６に表示されているアイコンを点滅させる、ウインドウの色を変える等、エラーを認識できる態様を提示できればよい。或いは、表示部４６に警告メッセージを表示しつつ（或いは表示する代わりに）、警告部（図示なし）から警告音を発することによりエラーを呈示してもよい。
【００６６】
＜動作＞
次に、図６を参照して、本実施形態に係るＸ線ＣＴ装置１の動作について説明する。ここでは、予めヘリカルシャトルスキャンのスキャン条件として、往復移動がＮ回、且つ一往復で取得されるビュー数Ｖ０と設定されているとする。また、所定のビュー数Ｖ１は、予め設定されているとする。
【００６７】
スキャン制御部４２（架台・寝台制御部１８）は、被検体Ｅに対して第１方向に天板３３を移動させつつ、ヘリカルスキャンを開始する（Ｓ１０。１回目の第１方向でのＸ線撮影）。Ｓ１０により得られた検出データは、ビュー毎に天板３３の位置情報と関連付けられてコンソール装置４０（監視部４１）に送信される。
【００６８】
検出部４１ａは、送信されるビューの数をカウントし、所定のビュー数Ｖ１を取得したときの天板３３の位置Ｐ１を検出する（Ｓ１１）。スキャン制御部４２は、スキャン条件に基づいて、１回目の往復移動（第１方向の残りの撮影範囲Ｅｐに対するヘリカルスキャン及び第２方向へのヘリカルスキャン）を継続して行わせる。
【００６９】
１回目の往復移動が完了した後、スキャン制御部４２は、２回目の第１方向でのＸ線撮影を開始する（Ｓ１２）。
【００７０】
２回目の第１方向へのＸ線撮影において、検出部４１ａは、天板３３の位置Ｐ１に対応するビュー数Ｖ１と１回の往復移動に対応するビュー数Ｖ０の和によるビュー数を２回目の所定のビュー数Ｖ２として取得したときに、そのビューに関連付けられた天板３３の位置Ｐ２を検出する（Ｓ１３）。
【００７１】
比較部４１ｂは、Ｓ１１で検出された天板３３の位置Ｐ１と、Ｓ１３で検出された天板３３の位置Ｐ２とを比較する（Ｓ１４）。比較結果は、スキャン制御部４２に送信される。
【００７２】
位置Ｐ１と位置Ｐ２とが同じ場合（Ｓ１５でＹの場合）、スキャン制御部４２は、スキャン条件に基づいてヘリカルシャトルスキャンを継続させる（Ｓ１６）。
【００７３】
逆に、位置Ｐ１と位置Ｐ２とが異なる場合（Ｓ１５でＮの場合）、スキャン制御部４２は、Ｘ線スキャン部によるＸ線の曝射を停止させる。また、表示制御部４４は、表示部４６にエラー表示を行う（Ｓ１７）。
【００７４】
Ｘ線ＣＴ装置１は、撮影範囲Ｅｐに対し、上記動作を天板３３がＮ回の往復移動を行うまで継続して行う。
【００７５】
このとき、検出部４１ａは、各回の第１方向のＸ線撮影において所定のビュー数Ｖｋを取得したときの位置Ｐｋを検出する。比較部４１ｂは、各回の第１方向のＸ線撮影において検出される位置Ｐ１と位置Ｐｋとの比較を行う。位置Ｐ１と位置Ｐｋとが同じ場合には、スキャン制御部４２は、ヘリカルシャトルスキャンを継続する。位置Ｐ１と位置Ｐｋとが異なる場合には、スキャン制御部４２は、Ｘ線スキャン部によるＸ線の曝射を停止させる。
【００７６】
このように、本実施形態におけるＸ線ＣＴ装置１は、決められたビュー数（所定のビュー数）毎に同じ位置でＸ線撮影できているかを確認することができる。すなわち、本実施形態におけるＸ線ＣＴ装置１は、ビュー数を基準に天板３３の位置再現性を監視する。
【００７７】
なお、上記説明では、関心領域に対応する範囲Ｉにおける一点（所定のビュー数Ｖｋに関連付けられた天板３３の位置Ｐｋ）でヘリカルシャトルスキャンの再現性を監視する例について述べたがこれに限られない。たとえば、関心領域に対応する範囲Ｉ全体におけるビュー毎に同様の処理を行ってもよい。このように関心領域に対応する範囲Ｉ全体で再現性を監視することにより、関心領域における位置ずれをより把握し易くなる。
【００７８】
監視部４１、スキャン制御部４２、画像処理部４３、表示制御部４４及び制御部４８は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの図示しない処理装置と、ＲＯＭ、ＲＡＭや、又はＨＤＤ（Ｈａｒｄ  Ｄｉｓｃ  Ｄｒｉｖｅ）などの図示しない記憶装置とによって構成されている。記憶装置には、各部の機能を実行するための制御プログラムが記憶されている。ＣＰＵなどの処理装置が、記憶装置に記憶されている各プログラムを実行することで各部の機能が実行される。
【００７９】
＜作用・効果＞
本実施形態の作用及び効果について説明する。
【００８０】
本実施形態のＸ線ＣＴ装置１は、天板３３と、天板３３に載置された被検体Ｅの周囲をスキャンしてＸ線撮影を行うＸ線発生部１１及びＸ線検出部１２を有するＸ線スキャン部とを有し、天板３３の長手方向に沿う第１方向及びその逆方向である第２方向に天板３３とＸ線スキャン部とを被検体Ｅの関心領域に対応する範囲Ｉを含む撮影範囲Ｅｐ内で相対的に往復移動させつつ、移動した位置でＸ線スキャン部にＸ線撮影を行わせる。Ｘ線ＣＴ装置１は、検出部４１ａと、比較部４１ｂと、スキャン制御部４２とを有する。検出部４１ａは、第１方向でのＸ線撮影において、関心領域に対応する範囲内において所定のビュー数Ｖｋを取得したときの位置Ｐｋを検出する。比較部４１ｂは、１回目の第１方向でのＸ線撮影において検出された位置Ｐ１と、ｋ回目（ｋ＞１）の第１方向でのＸ線撮影において、１回目の第１方向でのＸ線撮影における所定のビュー数Ｖ１及び（ｋ−１）回の往復移動に対応するビュー数の和によるビュー数を所定のビュー数Ｖｋとして取得したときに検出部４１ａが検出した位置Ｐｋとを比較する。スキャン制御部４２は、比較結果に基づいて、Ｘ線スキャン部によるＸ線の曝射を制御する。
【００８１】
具体的には、検出部４１ａは、（ｋ−１）回の往復移動に対応するビュー数として、予め設定された、往復移動を１回行う間に取得するビュー数Ｖ０を用いることにより、所定のビュー数Ｖｋを取得する。
【００８２】
このように、検出部４１ａは、往路移動（復路移動）毎に関心領域に対応する範囲Ｉ内において所定のビュー数Ｖｋを取得したときの位置Ｐｋを検出する。そして、比較部４１ｂによる比較結果に基づいて、スキャン制御部４２は、Ｘ線スキャン部によるＸ線の曝射を制御する。従って、本実施形態におけるＸ線ＣＴ装置１は、関心領域に対応する範囲Ｉにおいて、所定のビュー数Ｖｋを取得する位置Ｐｋのずれがないかを判断することができる。すなわち、本実施形態におけるＸ線ＣＴ装置１によれば、任意の基準（ビュー数を基準）でヘリカルシャトルスキャンの再現性を監視することが可能となる。また、ヘリカルシャトルスキャンの再現性が悪い場合には、Ｘ線の曝射を停止することにより、不要な被曝を低減することができる。
【００８３】
また、本実施形態のＸ線ＣＴ装置１は、表示部４６と、表示制御部４４とを有する。表示制御部４４は、比較結果に基づいて、表示部４６にエラー表示を行わせる。
【００８４】
このように、比較部４１ｂによる比較結果（位置Ｐ１≠位置Ｐｋの場合）に基づいてエラー表示を行うことにより、術者は、関心領域に対応する範囲Ｉにおいて、所定のビュー数Ｖｋを取得する位置Ｐｋのずれが生じたことを容易に判断することができる。すなわち、本実施形態におけるＸ線ＣＴ装置１によれば、ヘリカルシャトルスキャンの再現性に問題がある場合、視覚的に把握することが可能となる。
【００８５】
また、本実施形態の構成を制御プログラムとして実現することも可能である。本実施形態のＸ線ＣＴ装置１の制御プログラムは、天板３３と、天板３３に載置された被検体Ｅの周囲をスキャンしてＸ線撮影を行うＸ線発生部１１及びＸ線検出部１２を有するＸ線スキャン部とを有し、天板３３の長手方向に沿う第１方向及びその逆方向である第２方向に天板３３とＸ線スキャン部とを被検体Ｅの関心領域に対応する範囲Ｉを含む撮影範囲Ｅｐ内で相対的に往復移動させつつ、移動した位置でＸ線スキャン部にＸ線撮影を行わせるＸ線ＣＴ装置１に対し、コンピュータに、検出機能と、比較機能と、スキャン制御機能とを実行させる。検出機能は、第１方向でのＸ線撮影において、関心領域に対応する範囲Ｉ内において所定のビュー数Ｖｋを取得したときの位置Ｐｋを検出する。比較機能は、１回目の第１方向でのＸ線撮影において検出された位置Ｐ１と、ｋ回目（ｋ＞１）の第１方向でのＸ線撮影において、１回目の第１方向でのＸ線撮影における所定のビュー数Ｖ１及び（ｋ−１）回の往復移動に対応するビュー数の和によるビュー数を所定のビュー数Ｖｋとして取得したときに検出された位置Ｐｋとを比較する。スキャン制御機能は、比較結果に基づいて、Ｘ線スキャン部によるＸ線の曝射を制御する。
【００８６】
このように、制御プログラムにおける検出機能は、関心領域に対応する範囲Ｉ内において所定のビュー数Ｖｋを取得したときの位置Ｐｋを検出する。そして、比較機能による比較結果に基づいて、スキャン制御機能は、Ｘ線スキャン部によるＸ線の曝射を制御する。従って、本実施形態における制御プログラムを実行することにより、Ｘ線ＣＴ装置１は、関心領域に対応する範囲Ｉにおいて、所定のビュー数Ｖｋを取得する位置Ｐｋのずれがないかを判断することができる。すなわち、本実施形態におけるＸ線ＣＴ装置１の制御プログラムによれば、任意の基準（ビュー数を基準）でヘリカルシャトルスキャンの再現性を監視することが可能となる。また、ヘリカルシャトルスキャンの再現性が悪い場合には、Ｘ線の曝射を停止することにより、不要な被曝を低減することができる。
【００８７】
（第２実施形態）
次に、図７及び図８を参照して、第２実施形態に係るＸ線ＣＴ装置１の構成について説明する。本実施形態においては、ビュー数の実測値を用いてヘリカルシャトルスキャンの再現性を監視する構成について述べる。なお、第１実施形態と同様の構成等については、詳細な説明を省略する場合がある。
【００８８】
第１実施形態のように、スキャン条件として一往復で取得されるビュー数が予め設定されているとする（たとえば、ビュー数Ｖ０）。しかし、このビュー数Ｖ０は、一往復で実際に取得されるビュー数Ｖｔｏｔａｌとは異なっている場合（ビュー数Ｖ０とビュー数Ｖｔｏｔａｌとの間で誤差が生じる場合）がある。
【００８９】
たとえば、ヘリカルシャトルスキャンは、寝台加減速領域Ｅｔ１（Ｅｔ２）においてもＸ線撮影を行う。よって、Ｘ線ＣＴ装置１は、寝台加減速領域Ｅｔ１（Ｅｔ２）における加減速カーブを考慮してビューに対応する検出データの取得を行う。一般に、加減速カーブは、往復移動の衝撃を和らげるために、Ｓ字カーブが用いられるため、加減速にかかる時間算出に計算誤差が生じる。従って、その間に取得されるビュー数に誤差が生じる可能性がある。
【００９０】
或いは、天板３３を往復移動させて行うヘリカルシャトルスキャンにおいては、天板３３の機械応答性のばらつき等により、検出データのばらつき（ビュー数のばらつき）が生じる。天板３３の機械応答性のばらつきとは、被検体Ｅの体型等により生じる重量や荷重分布の違いに基づく天板３３の移動状態のばらつきである。たとえば、天板３３がサーボモータにより駆動される場合であって、サーボモータにかかる負荷が小さい場合（天板３３に載置される被検体Ｅの体重が軽い場合）、天板３３の動き出しの応答性は速くなる。逆に、サーボモータにかかる負荷が大きい場合（天板３３に載置される被検体Ｅの体重が重い場合）、天板３３の動き出しの応答性は遅くなる。この機械応答性は、ヘリカルシャトルスキャンを開始し、実際に天板３３を駆動させてみなければ分からないばらつきであり、このばらつきがビュー数の誤差に繋がる可能性がある。
【００９１】
そこで、本実施形態の検出部４１ａは、（ｋ−１）回の往復移動に対応するビュー数として、１回目の往復移動により取得されたビュー数Ｖｔｏｔａｌを用いることにより、ｋ回目の所定のビュー数Ｖｋを取得する。
【００９２】
具体的に、Ｘ線ＣＴ装置１は、予め設定したスキャン条件（たとえば、往復移動の回数をＮ往復、一往復で取得されるビュー数Ｖ０）に基づいてヘリカルシャトルスキャンを開始する。なお、所定のビュー数Ｖ１は予め２０ビューに設定されているとする。
【００９３】
検出部４１ａは、第１実施形態と同様、１回目の第１方向でのＸ線撮影により得られるビューの数をカウントし、所定のビュー数Ｖ１（２０ビュー）を取得したときにそのビューに関連付けられた天板３３の位置Ｐ１を検出する（図７参照）。
【００９４】
更に、検出部４１ａはビューの数をカウントし続けることにより、１回目の第１方向において実際に取得されるビュー数Ｖｇｏと、１回目の第２方向において実際に取得されるビュー数Ｖｒｅｔｕｒｎとを取得する（図７参照）。そして、検出部４１ａは、ビュー数Ｖｇｏとビュー数Ｖｒｅｔｕｒｎとの和であるビュー数Ｖｔｏｔａｌを取得する。検出部４１ａは、スキャン条件におけるビュー数Ｖ０をビュー数Ｖｔｏｔａｌに置き換える。
【００９５】
その後、検出部４１ａは、データ収集部１４から送信される検出データに基づいてビュー数をカウントし、所定のビュー数Ｖ２を取得したときに、そのビューに関連付けられた天板３３の位置Ｐ２を検出する（図７参照）。本実施形態において、所定のビュー数Ｖ２は、１回目の第１方向でのＸ線撮影における所定のビュー数Ｖ１と、実測値であるビュー数Ｖｔｏｔａｌとの和に相当する。
【００９６】
同様に、検出部４１ａは、データ収集部１４から送信される検出データに基づいてビュー数をカウントし、Ｎ回目の第１方向でのＸ線撮影において所定のビュー数ＶＮ（＝Ｖ１＋（Ｎ−１）Ｖｔｏｔａｌ）を取得した時に、そのビューに関連付けられた天板３３の位置ＰＮを検出する（図７参照）。
【００９７】
＜動作＞
次に、図８を参照して、本実施形態に係るＸ線ＣＴ装置１の動作について説明する。ここでは、予めヘリカルシャトルスキャンのスキャン条件として、往復移動がＮ回、且つ一往復で取得されるビュー数Ｖ０と設定されているとする。また、所定のビュー数Ｖ１は、予め設定されているとする。
【００９８】
スキャン制御部４２（架台・寝台制御部１８）は、被検体Ｅに対して第１方向に天板３３を移動させつつ、ヘリカルスキャンを開始する（Ｓ２０。１回目の第１方向でのＸ線撮影）。Ｓ２０により得られた検出データは、ビュー毎に天板３３の位置情報と関連付けられてコンソール装置４０（監視部４１）に送信される。
【００９９】
検出部４１ａは、送信されるビューの数をカウントし、所定のビュー数Ｖ１を取得したときの天板３３の位置Ｐ１を検出する（Ｓ２１）。スキャン制御部４２は、スキャン条件に基づいて、１回目の往復移動（第１方向の残りの撮影範囲Ｅｐに対するヘリカルスキャン及び第２方向へのヘリカルスキャン）を継続して行わせる。
【０１００】
検出部４１ａは、１回目の往復運動におけるビュー数Ｖｔｏｔａｌ（＝Ｖｇｏ＋Ｖｒｅｔｕｒｎ）を取得する（Ｓ２２）。
【０１０１】
検出部４１ａは、スキャン条件におけるビュー数Ｖ０をビュー数Ｖｔｏｔａｌに置き換える（Ｓ２３）。
【０１０２】
１回目の往復移動が完了した後、スキャン制御部４２は、２回目の第１方向でのＸ線撮影を開始する（Ｓ２４）。
【０１０３】
２回目の第１方向へのＸ線撮影において、検出部４１ａは、天板３３の位置Ｐ１に対応するビュー数Ｖ１とＳ２２で取得されたビュー数Ｖｔｏｔａｌの和によるビュー数を２回目の所定のビュー数Ｖ２として取得したときに、そのビュー数に関連付けられた天板３３の位置Ｐ２を検出する（Ｓ２５）。
【０１０４】
比較部４１ｂは、Ｓ２１で検出された天板３３の位置Ｐ１と、Ｓ２５で検出された天板３３の位置Ｐ２とを比較する（Ｓ２６）。比較結果は、スキャン制御部４２に送信される。
【０１０５】
位置Ｐ１と位置Ｐ２とが同じ場合（Ｓ２７でＹの場合）、スキャン制御部４２は、スキャン条件に基づいてヘリカルシャトルスキャンを継続させる（Ｓ２８）。
【０１０６】
逆に、位置Ｐ１と位置Ｐ２とが異なる場合（Ｓ２７でＮの場合）、スキャン制御部４２は、Ｘ線スキャン部によるＸ線の曝射を停止させる。また、表示制御部４４は、表示部４６にエラー表示を行わせる（Ｓ２９）。
【０１０７】
Ｘ線ＣＴ装置１は、撮影範囲Ｅｐに対し、上記動作を天板３３がＮ回の往復移動を行うまで継続して行う。
【０１０８】
このとき、検出部４１ａは、各回の第１方向のＸ線撮影において所定のビュー数Ｖｋを取得したときの位置Ｐｋを検出する。比較部４１ｂは、各回の第１方向のＸ線撮影において検出される位置Ｐ１と位置Ｐｋとの比較を行う。位置Ｐ１と位置Ｐｋとが同じ場合には、スキャン制御部４２は、ヘリカルシャトルスキャンを継続する。位置Ｐ１と位置Ｐｋとが異なる場合には、スキャン制御部４２は、Ｘ線スキャン部によるＸ線の曝射を停止させる。
【０１０９】
＜作用・効果＞
本実施形態の作用及び効果について説明する。
【０１１０】
本実施形態のＸ線ＣＴ装置１における検出部４１ａは、（ｋ−１）回の往復移動に対応するビュー数として、１回目の往復移動により取得されたビュー数Ｖｔｏｔａｌを用いることにより、所定のビュー数Ｖｋを取得する。
【０１１１】
このように、検出部４１ａは、１回目の往復移動により取得されたビュー数Ｖｔｏｔａｌを用いてｋ回目の所定のビュー数Ｖｋを取得する。ビュー数Ｖｔｏｔａｌは、被検体Ｅの体型等の影響が加味された実測値である。すなわち、本実施形態のＸ線ＣＴ装置１によれば、計算誤差や機械応答性のばらつきによる誤差を考慮してヘリカルシャトルスキャンの再現性を監視することができる。
【０１１２】
（第３実施形態）
次に、図９及び図１０を参照して、第３実施形態に係るＸ線ＣＴ装置１の構成について説明する。本実施形態においては、所定位置を基準として検出されるビュー数に基づいて、ヘリカルシャトルスキャンの再現性を監視する構成について述べる。なお、第１実施形態及び第２実施形態と同様の構成等については、詳細な説明を省略する場合がある。
【０１１３】
本実施形態における監視部４１は、被検体Ｅの関心領域に対応する範囲Ｉ内の所定位置Ｃにおいて、ヘリカルシャトルスキャンの再現性を監視する。監視部４１は、検出部４１ａと、比較部４１ｂとを有する。
【０１１４】
本実施形態における検出部４１ａは、第１方向でのＸ線撮影において、関心領域に対応する範囲Ｉ内の所定位置Ｃで得られるビュー数を検出する。具体的には、検出部４１ａは、１回目の第１方向でのＸ線撮影において、天板３３が所定位置Ｃに到達したときのビュー数Ｖ´１を検出する。また、検出部４１ａは、ｋ回目の第１方向でのＸ線撮影において、天板３３が所定位置Ｃに到達したときのビュー数Ｖ´ｋ（ｋ＝１〜Ｎ）を検出する。検出されたビュー数は、比較部４１ｂに送信される。
【０１１５】
所定位置Ｃは、関心領域に対応する範囲Ｉ内における任意の位置を予め設定する。
【０１１６】
また、第１実施形態と同様、往復移動を１回行う間に取得するビュー数Ｖ０は、スキャン条件等により予め決定することができる。この場合、往復運動をｋ回行う間に取得するビュー数は、ビュー数ｋＶ０で表すことができる。
【０１１７】
検出部４１ａは、１回目の第１方向でのＸ線撮影において、所定位置Ｃでビュー数Ｖ´１を検出する（図９参照）。
【０１１８】
その後、検出部４１ａは、データ収集部１４から送信される検出データに基づいてビュー数のカウントを継続し、２回目の第１方向でのＸ線撮影において、所定位置Ｃでビュー数Ｖ´２を検出する（図９参照）。
【０１１９】
同様に、検出部４１ａは、データ収集部１４から送信される検出データに基づいてビュー数のカウントを継続し、Ｎ回目の第１方向でのＸ線撮影において、所定位置Ｃで得られるビュー数Ｖ´Ｎを検出する（図９参照）。
【０１２０】
比較部４１ｂは、１回目の第１方向でのＸ線撮影において検出されたビュー数Ｖ´１と、ｋ回目（ｋ＞１）の第１方向でのＸ線撮影において検出されたビュー数Ｖ´ｋとを比較する。なお、ビュー数Ｖ´ｋとビュー数Ｖ´１との差分を差分ΔＶｋ（ｋ＝２〜Ｎ）とする。
【０１２１】
具体的に、比較部４１ｂは、１回目の第１方向でのＸ線撮影において所定位置Ｃで検出されたビュー数Ｖ´１と、２回目の第１方向でのＸ線撮影において所定位置Ｃで検出されたビュー数Ｖ´２とを比較する。
【０１２２】
ビュー数Ｖ´１とビュー数Ｖ´２との差分ΔＶ２がＶ０の場合、ビュー数Ｖ´２に対応するビュー（検出データ）は、ビュー数Ｖ´１に対応するビュー（検出データ）に対して往復移動を１回行った後に取得されたもの（撮影範囲Ｅｐの同じ位置を撮影したもの）であるといえる。すなわち、ヘリカルシャトルスキャンの周期性が保たれているといえる。よって、これらのビューに対応する検出データに基づくＣＴ画像データを重ね合わせることにより、ＣＴパフュージョンを実行することができる。
【０１２３】
逆に、ビュー数Ｖ´１とビュー数Ｖ´２との差分ΔＶ２がＶ０と異なる場合、１回目の第１方向でのＸ線撮影における所定位置Ｃから２回目の第１方向でのＸ線撮影における所定位置Ｃに至るまでのヘリカルスキャンにおいて、何らかの誤差が生じていることになる。すなわち、ヘリカルシャトルスキャンの周期性が崩れているといえる。このような比較結果が得られた場合は、ヘリカルシャトルスキャンを継続してもＣＴ画像の重ね合わせ（ＣＴパフュージョン）に適したＣＴ画像データを得ることが困難である。
【０１２４】
比較部４１ｂは、比較結果をスキャン制御部４２に送信する。なお、比較部４１ｂは、往復移動毎にビュー数Ｖ´１とビュー数Ｖ´ｋ（ｋ＞１）との比較を行う。すなわち、差分ΔＶｋは以下の式（２）で示すことができる。
【０１２５】
【数２】
2014113474.tif 000004
【０１２６】
本実施形態において、比較部４１ｂは、予め設定された、往復移動を１回行う間に取得するビュー数Ｖ０に基づいて比較を行う。たとえば、比較部４１ｂは、Ｎ回目の第１方向でのＸ線撮影における所定位置Ｃで検出されたビュー数Ｖ´Ｎとビュー数Ｖ´１との差分ΔＶＮと、ビュー数（Ｎ−１）Ｖ０とを比較する。すなわち、本実施形態における比較部４１ｂは、差分ΔＶｋとビュー数（ｋ−１）Ｖ０とを比較するといえる。
【０１２７】
なお、比較部４１ｂによるビュー数Ｖ´１とビュー数Ｖ´ｋとの比較は、差分ΔＶｋがビュー数（ｋ−１）Ｖ０と完全に一致する場合でなくともよい。すなわち、差分ΔＶｋは、ヘリカルシャトルスキャンの再現性を保つことができる許容範囲であれば、所定の幅（たとえば、±数ビュー）を持たせてもよい。
【０１２８】
＜動作＞
次に、図１０を参照して、本実施形態に係るＸ線ＣＴ装置１の動作について説明する。ここでは、予めヘリカルシャトルスキャンのスキャン条件として、往復移動がＮ回、且つ一往復で取得されるビュー数Ｖ０と設定されているとする。
【０１２９】
スキャン制御部４２（架台・寝台制御部１８）は、被検体Ｅに対して第１方向に天板３３を移動させつつ、ヘリカルスキャンを開始する（Ｓ３０。１回目の第１方向でのＸ線撮影）。Ｓ３０により得られた検出データは、ビュー毎に天板３３の位置情報と関連付けられてコンソール装置４０（監視部４１）に送信される。
【０１３０】
検出部４１ａは、所定位置Ｃにおいてビュー数Ｖ´１を検出する（Ｓ３１）。スキャン制御部４２は、スキャン条件に基づいて、１回目の往復移動（第１方向の残りの撮影範囲Ｅｐに対するヘリカルスキャン及び第２方向へのヘリカルスキャン）を継続して行わせる。
【０１３１】
１回目の往復移動が完了した後、スキャン制御部４２は、２回目の第１方向でのＸ線撮影を開始する（Ｓ３２）。
【０１３２】
２回目の第１方向へのＸ線撮影において、検出部４１ａは、所定位置Ｃにおいてビュー数Ｖ´２を検出する（Ｓ３３）。
【０１３３】
比較部４１ｂは、Ｓ３１で検出されたビュー数Ｖ´１と、Ｓ３３で検出されたビュー数Ｖ´２とを比較する（Ｓ３４）。比較結果は、スキャン制御部４２に送信される。
【０１３４】
ビュー数Ｖ´１とビュー数Ｖ´２との差分ΔＶ２がＶ０の場合（Ｓ３５でＹの場合）、スキャン制御部４２は、スキャン条件に基づいてヘリカルシャトルスキャンを継続させる（Ｓ３６）。
【０１３５】
逆に、ビュー数Ｖ´１とビュー数Ｖ´２との差分ΔＶ２がＶ０と異なる場合（Ｓ３５でＮの場合）、スキャン制御部４２は、Ｘ線スキャン部によるＸ線の曝射を停止させる。また、表示制御部４４は、表示部４６にエラー表示を行わせる（Ｓ３７）。
【０１３６】
Ｘ線ＣＴ装置１は、撮影範囲Ｅｐに対し、上記動作を天板３３がＮ回の往復移動を行うまで継続して行う。
【０１３７】
このとき、検出部４１ａは、各回の第１方向のＸ線撮影において所定位置Ｃで得られるビュー数Ｖ´ｋを検出する。比較部４１ｂは、各回の第１方向のＸ線撮影において所定位置Ｃで得られるビュー数Ｖ´ｋとビュー数Ｖ´１との比較を行う。ビュー数Ｖ´ｋとビュー数Ｖ´１との差分ΔＶｋが（ｋ−１）Ｖ０の場合には、スキャン制御部４２は、ヘリカルシャトルスキャンを継続する。ビュー数Ｖ´ｋとビュー数Ｖ´１の差分ΔＶｋが（ｋ−１）Ｖ０と異なる場合には、スキャン制御部４２は、Ｘ線スキャン部によるＸ線の曝射を停止させる。
【０１３８】
このように、本実施形態におけるＸ線ＣＴ装置１は、決められた位置（所定位置Ｃ）で各往復移動における周期性が保たれているかを確認することができる。すなわち、本実施形態におけるＸ線ＣＴ装置１は、位置を基準としてヘリカルシャトルスキャンの周期性（ビューの周期性）を監視する。
【０１３９】
＜作用・効果＞
本実施形態の作用及び効果について説明する。
【０１４０】
本実施形態のＸ線ＣＴ装置１は、天板３３と、天板３３に載置された被検体Ｅの周囲をスキャンしてＸ線撮影を行うＸ線発生部１１及びＸ線検出部１２を有するＸ線スキャン部とを有し、天板３３の長手方向に沿う第１方向及びその逆方向である第２方向に天板３３とＸ線スキャン部とを被検体Ｅの関心領域に対応する範囲Ｉを含む撮影範囲Ｅｐ内で相対的に往復移動させつつ、移動した位置でＸ線スキャン部にＸ線撮影を行わせる。Ｘ線ＣＴ装置１は、検出部４１ａと、比較部４１ｂと、スキャン制御部４２とを有する。検出部４１ａは、第１方向でのＸ線撮影において、関心領域に対応する範囲Ｉ内の所定位置Ｃで得られるビュー数Ｖ´ｋを検出する。比較部４１ｂは、１回目の第１方向でのＸ線撮影において検出されたビュー数Ｖ´１と、ｋ回目（ｋ＞１）の第１方向でのＸ線撮影において検出されたビュー数Ｖ´ｋとを比較する。スキャン制御部４２は、比較結果に基づいて、Ｘ線スキャン部によるＸ線の曝射を制御する。
【０１４１】
具体的には、比較部４１ｂは、予め設定された、往復移動を１回行う間に取得するビュー数Ｖ０に基づいて、１回目の第１方向でのＸ線撮影において検出されたビュー数Ｖ´１と、ｋ回目の第１方向でのＸ線撮影において検出されたビュー数Ｖ´ｋとの比較を行う。
【０１４２】
このように、検出部４１ａは、関心領域に対応する範囲Ｉ内の所定位置Ｃでビュー数Ｖ´ｋを検出する。そして、比較部４１ｂによる比較結果に基づいて、スキャン制御部４２は、Ｘ線スキャン部によるＸ線の曝射を制御する。従って、本実施形態におけるＸ線ＣＴ装置１は、関心領域に対応する範囲Ｉにおいて、ヘリカルシャトルスキャンの周期性が保たれているかを判断することができる。すなわち、本実施形態におけるＸ線ＣＴ装置１によれば、任意の基準（位置を基準）でヘリカルシャトルスキャンの再現性を監視することが可能となる。また、ヘリカルシャトルスキャンの再現性が悪い場合には、Ｘ線の曝射を停止することにより、不要な被曝を低減することができる。
【０１４３】
また、本実施形態の構成を制御プログラムとして実現することも可能である。本実施形態のＸ線ＣＴ装置１の制御プログラムは、天板３３と、天板３３に載置された被検体Ｅの周囲をスキャンしてＸ線撮影を行うＸ線発生部１１及びＸ線検出部１２を有するＸ線スキャン部とを有し、天板３３の長手方向に沿う第１方向及びその逆方向である第２方向に天板３３とＸ線スキャン部とを被検体Ｅの関心領域に対応する範囲Ｉを含む撮影範囲Ｅｐ内で相対的に往復移動させつつ、移動した位置でＸ線スキャン部にＸ線撮影を行わせるＸ線ＣＴ装置１に対し、コンピュータに、検出機能と、比較機能と、スキャン制御機能とを実行させる。検出機能は、第１方向でのＸ線撮影において、関心領域に対応する範囲Ｉ内の所定位置Ｃで得られるビュー数Ｖ´ｋを検出する。比較機能は、１回目の第１方向でのＸ線撮影において検出されたビュー数Ｖ´１と、ｋ回目（ｋ＞１）の第１方向でのＸ線撮影において検出されたビュー数Ｖ´ｋとを比較する。スキャン制御機能は、比較結果に基づいて、Ｘ線スキャン部によるＸ線の曝射を制御する。
【０１４４】
このように、制御プログラムにおける検出機能は、関心領域に対応する範囲Ｉ内の所定位置Ｃでビュー数Ｖ´ｋを検出する。そして、比較機能による比較結果に基づいて、スキャン制御機能は、Ｘ線スキャン部によるＸ線の曝射を制御する。従って、本実施形態における制御プログラムを実行することにより、Ｘ線ＣＴ装置１は、関心領域に対応する範囲Ｉにおいて、ヘリカルシャトルスキャンの周期性が保たれているかを判断することができる。すなわち、本実施形態におけるＸ線ＣＴ装置１の制御プログラムによれば、任意の基準（位置を基準）でヘリカルシャトルスキャンの再現性を監視することが可能となる。また、ヘリカルシャトルスキャンの再現性が悪い場合には、Ｘ線の曝射を停止することにより、不要な被曝を低減することができる。
【０１４５】
（第４実施形態）
次に、図１１及び図１２を参照して、第４実施形態に係るＸ線ＣＴ装置１の構成について説明する。本実施形態においては、第３実施形態の構成においてビュー数の実測値を用いてヘリカルシャトルスキャンの再現性を監視する構成について述べる。なお、第１実施形態〜第３実施形態と同様の構成等については、詳細な説明を省略する場合がある。
【０１４６】
第３実施形態のように、スキャン条件として一往復で取得されるビュー数が予め設定されているとする（たとえば、ビュー数Ｖ０）。しかし、第２実施形態で述べたように、このビュー数Ｖ０は、計算誤差や機械応答性のばらつきにより、一往復で実際に取得されるビュー数Ｖｔｏｔａｌとは異なっている場合がある。
【０１４７】
そこで、本実施形態の比較部４１ｂは、１回目の往復移動により取得されたビュー数Ｖｔｏｔａｌに基づいて、１回目の第１方向でのＸ線撮影において検出されたビュー数Ｖ´１とｋ回目の第１方向でのＸ線撮影において検出されたビュー数Ｖ´ｋとの比較を行う。
【０１４８】
具体的に、Ｘ線ＣＴ装置１は、予め設定したスキャン条件（たとえば、往復移動の回数をＮ往復、一往復で取得されるビュー数Ｖ０）に基づいてヘリカルシャトルスキャンを開始する。
【０１４９】
検出部４１ａは、第３実施形態と同様、１回目の第１方向でのＸ線撮影において、所定位置Ｃでビュー数Ｖ´１を検出する（図１１参照）。
【０１５０】
更に、検出部４１ａはビューの数をカウントし続けることにより、１回目の第１方向において実際に取得されるビュー数Ｖｇｏと、１回目の第２方向において実際に取得されるビュー数Ｖｒｅｔｕｒｎとを取得する（図１１参照）。そして、検出部４１ａは、ビュー数Ｖｇｏとビュー数Ｖｒｅｔｕｒｎとの和であるビュー数Ｖｔｏｔａｌを取得する。検出部４１ａは、スキャン条件におけるビュー数Ｖ０をビュー数Ｖｔｏｔａｌに置き換える。
【０１５１】
その後、検出部４１ａは、データ収集部１４から送信される検出データに基づいてビュー数のカウントを継続し、２回目の第１方向でのＸ線撮影において、所定位置Ｃでビュー数Ｖ´２を検出する（図１１参照）。
【０１５２】
同様に、検出部４１ａは、データ収集部１４から送信される検出データに基づいてビュー数のカウントを継続し、Ｎ回目の第１方向でのＸ線撮影において、所定位置Ｃで得られるビュー数Ｖ´Ｎを検出する（図１１参照）。
【０１５３】
比較部４１ｂは、１回目の往復移動により取得されたビュー数Ｖｔｏｔａｌ（実測値）に基づいて、１回目のビュー数Ｖ´１と２回目のビュー数Ｖ´２との比較を行う。
【０１５４】
ビュー数Ｖ´１とビュー数Ｖ´２との差分ΔＶ２がビュー数Ｖｔｏｔａｌの場合、ビュー数Ｖ´２に対応するビュー（検出データ）は、ビュー数Ｖ´１に対応するビュー（検出データ）に対して往復移動を１回行った後に取得されたもの（撮影範囲Ｅｐの同じ位置を撮影したもの）であるといえる。すなわち、ヘリカルシャトルスキャンの周期性が保たれているといえる。よって、これらのビューに対応する検出データに基づくＣＴ画像データを重ね合わせることにより、ＣＴパフュージョンを実行することができる。
【０１５５】
逆に、ビュー数Ｖ´１とビュー数Ｖ´２との差分ΔＶ２がビュー数Ｖｔｏｔａｌと異なる場合、１回目の第１方向でのＸ線撮影における所定位置Ｃから２回目の第１方向でのＸ線撮影における所定位置Ｃに至るまでのヘリカルスキャンにおいて、何らかの誤差が生じていることになる。すなわち、ヘリカルシャトルスキャンの周期性が崩れているといえる。このような比較結果が得られた場合は、ヘリカルシャトルスキャンを継続してもＣＴ画像の重ね合わせ（ＣＴパフュージョン）に適したＣＴ画像データを得ることが困難である。
【０１５６】
比較部４１ｂは、比較結果をスキャン制御部４２に送信する。なお、比較部４１ｂは、往復移動毎にビュー数Ｖ´１とビュー数Ｖ´ｋ（ｋ＞１）との比較を行う。本実施形態において、比較部４１ｂは、実測値であるビュー数Ｖｔｏｔａｌに基づいて比較を行う。たとえば、比較部４１ｂは、Ｎ回目の第１方向でのＸ線撮影における所定位置Ｃで検出されたビュー数Ｖ´Ｎとビュー数Ｖ´１との差分ΔＶＮと、ビュー数（Ｎ−１）Ｖｔｏｔａｌとを比較する。すなわち、本実施形態における比較部４１ｂは、差分ΔＶｋとビュー数（ｋ−１）Ｖｔｏｔａｌとを比較するといえる。実測値を用いることにより、計算誤差や機械応答性のばらつきの影響を軽減することができる。
【０１５７】
＜動作＞
次に、図１２を参照して、本実施形態に係るＸ線ＣＴ装置１の動作について説明する。ここでは、予めヘリカルシャトルスキャンのスキャン条件として、往復移動がＮ回、且つ一往復で取得されるビュー数Ｖ０と設定されているとする。
【０１５８】
スキャン制御部４２（架台・寝台制御部１８）は、被検体Ｅに対して第１方向に天板３３を移動させつつ、ヘリカルスキャンを開始する（Ｓ４０。１回目の第１方向でのＸ線撮影）。Ｓ４０により得られた検出データは、ビュー毎に天板３３の位置情報と関連付けられてコンソール装置４０（監視部４１）に送信される。
【０１５９】
検出部４１ａは、所定位置Ｃにおいてビュー数Ｖ´１を検出する（Ｓ４１）。スキャン制御部４２は、スキャン条件に基づいて、１回目の往復移動（第１方向の残りの撮影範囲Ｅｐに対するヘリカルスキャン及び第２方向へのヘリカルスキャン）を継続して行わせる。
【０１６０】
検出部４１ａは、１回目の往復運動におけるビュー数Ｖｔｏｔａｌ（＝Ｖｇｏ＋Ｖｒｅｔｕｒｎ）を取得する（Ｓ４２）。
【０１６１】
検出部４１ａは、スキャン条件におけるビュー数Ｖ０をビュー数Ｖｔｏｔａｌに置き換える（Ｓ４３）。
【０１６２】
１回目の往復移動が完了した後、スキャン制御部４２は、２回目の第１方向でのＸ線撮影を開始する（Ｓ４４）。
【０１６３】
２回目の第１方向へのＸ線撮影において、検出部４１ａは、所定位置Ｃにおいてビュー数Ｖ´２を検出する（Ｓ４５）。
【０１６４】
比較部４１ｂは、Ｓ４１で検出されたビュー数Ｖ´１と、Ｓ４５で検出されたビュー数Ｖ´２とを比較する（Ｓ４６）。比較結果は、スキャン制御部４２に送信される。
【０１６５】
ビュー数Ｖ´１とビュー数Ｖ´２との差分ΔＶ２がＶｔｏｔａｌの場合（Ｓ４７でＹの場合）、スキャン制御部４２は、スキャン条件に基づいてヘリカルシャトルスキャンを継続させる（Ｓ４８）。
【０１６６】
逆に、ビュー数Ｖ´１とビュー数Ｖ´２との差分ΔＶ２がＶｔｏｔａｌと異なる場合（Ｓ４７でＮの場合）、スキャン制御部４２は、Ｘ線スキャン部によるＸ線の曝射を停止させる。また、表示制御部４４は、表示部４６にエラー表示を行わせる（Ｓ４９）。
【０１６７】
Ｘ線ＣＴ装置１は、撮影範囲Ｅｐに対し、上記動作を天板３３がＮ回の往復移動を行うまで継続して行う。
【０１６８】
このとき、検出部４１ａは、各回の第１方向のＸ線撮影において所定位置Ｃで得られるビュー数Ｖ´ｋを検出する。比較部４１ｂは、各回の第１方向のＸ線撮影において所定位置Ｃで得られるビュー数Ｖ´ｋとビュー数Ｖ´１との比較を行う。ビュー数Ｖ´ｋとビュー数Ｖ´１との差分ΔＶｋが（ｋ−１）Ｖｔｏｔａｌの場合には、スキャン制御部４２は、ヘリカルシャトルスキャンを継続する。ビュー数Ｖ´ｋとビュー数Ｖ´１との差分ΔＶｋが（ｋ−１）Ｖｔｏｔａｌと異なる場合には、スキャン制御部４２は、Ｘ線スキャン部によるＸ線の曝射を停止させる。
【０１６９】
＜作用・効果＞
本実施形態の作用及び効果について説明する。
【０１７０】
本実施形態のＸ線ＣＴ装置１における比較部４１ｂは、１回目の往復移動により取得されたビュー数Ｖｔｏｔａｌに基づいて、１回目の第１方向でのＸ線撮影において検出されたビュー数Ｖ´１と、ｋ回目の第１方向でのＸ線撮影において検出されたビュー数Ｖ´ｋとの比較を行う。
【０１７１】
このように、比較部４１ｂは、１回目の往復移動により取得されたビュー数Ｖｔｏｔａｌを用いて所定位置Ｃで得られたビュー数の比較を行う。ビュー数Ｖｔｏｔａｌは、被検体Ｅの体型等の影響が加味された実測値である。すなわち、本実施形態のＸ線ＣＴ装置１によれば、計算誤差や機械応答性のばらつきによる誤差を考慮してヘリカルシャトルスキャンの再現性を監視することができる。
【０１７２】
（変形例）
上記実施形態では、天板３３を移動させる例について述べたがこれに限られない。たとえば、天板３３を固定し、天板３３に対して架台装置１０を移動させることによりヘリカルシャトルスキャンを行うことも可能である。すなわち、制御部４８は、天板３３の長手方向に沿う第１方向及びその逆方向である第２方向に天板３３とＸ線スキャン部とを被検体Ｅの関心領域に対応する範囲を含む撮影範囲内で相対的に往復移動させつつ、移動した位置でＸ線スキャン部にＸ線撮影を行わせる。架台装置１０を移動させる場合には、上述の天板３３の位置（所定位置）の代わりに架台装置１０の位置を使用することができる。
【０１７３】
＜実施形態に共通の効果＞
以上述べた少なくともひとつの実施形態のＸ線ＣＴ装置によれば、任意の基準（ビュー数または位置を基準）でヘリカルシャトルスキャンの再現性を監視することが可能となる。また、ヘリカルシャトルスキャンの再現性が悪い場合には、Ｘ線の曝射を停止することにより、不要な被曝を低減することができる。
【０１７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１７５】
１  Ｘ線ＣＴ装置
１０  架台装置
１０ａ  回転部
１０ｂ  固定部
１１  Ｘ線発生部
１２  Ｘ線検出部
１３  Ｘ線絞り部
１４  データ収集部
１５  高電圧発生部
１６  架台駆動部
１７  絞り駆動部
１８  架台・寝台制御部
３０  寝台装置
４０  コンソール装置
４１  監視部
４１ａ  検出部
４１ｂ  比較部
４２  スキャン制御部
４３  画像処理部
４４  表示制御部
４５  記憶部
４６  表示部
４７  入力部
４８  制御部
【図１】
2014113474.tif 000005
【図２】
2014113474.tif 000006
【図３】
2014113474.tif 000007
【図４】
2014113474.tif 000008
【図５】
2014113474.tif 000009
【図６】
2014113474.tif 000010
【図７】
2014113474.tif 000011
【図８】
2014113474.tif 000012
【図９】
2014113474.tif 000013
【図１０】
2014113474.tif 000014
【図１１】
2014113474.tif 000015
【図１２】
2014113474.tif 000016